(57)【要約】【課題】  防犯性能が高く、いたずらされたりゴミを置かれたりしにくく、メンテナンス作業もしやすい屋外設置用の精算機を提供する。【解決手段】  精算機(30)における背面側へ固定されるとともに精算機(30)の上方にまで達する基板部(21A)、およびその上端から延設されて精算機の上面および前記のユーザの上方に位置する屋根板部(21B)、を備える屋根材(21)と、屋根板部(21B)を支持する屋根支持材(22)と、を備える。基板部(21A)の幅方向は、精算機(30)の幅方向と一致した寸法とし、屋根材(21)は、基板部(21A)側から正面側に向かって前上がりとし、屋根板部(21B)における下面の中央付近には、ユーザへ向いた防犯カメラ(24)を備えるとともに、その防犯カメラ(24)の両側には、ユーザを照らすライト(25,25)を備える。【選択図】  図５
2019179482.tif 000002
【特許請求の範囲】
【請求項１】
精算機に対して固定されて、その精算機による精算操作をするユーザを雨から守る屋根構造であって、
前記の精算機における背面側へ固定されるとともに精算機の上方にまで達する基板部、およびその基板部の上端から延設されて精算機の上面および前記のユーザの上方に位置する屋根板部、を備える屋根材と、
その屋根材の屋根板部における幅方向の両側中央付近および基板部における精算機の上端付近を渡して屋根板部を支持する屋根支持材と、
を備え、
前記の基板部の幅方向は、精算機の幅方向と一致した寸法とし、
前記の屋根材は、前記の基板部側から正面側に向かって前上がりとし、
前記の屋根板部における下面の中央付近には、ユーザへ向いた防犯カメラを備えるとともに、その防犯カメラの両側には、ユーザを照らすライトを備えた屋根構造。
【請求項２】
前記の基板部における屋根板部と精算機の上面との間には、複数の貫通孔を備えた
請求項１に記載の屋根構造。
【請求項３】
前記の屋根板部は、基板部側から精算機における前面側へ向かって幅広となる形状とした
請求項１または請求項２のいずれかに記載の屋根構造。
【請求項４】
請求項１から請求項３のいずれかの屋根構造を備えた精算機。
【請求項５】
精算機の上面が上へ向かって凸となる湾曲面として形成した
請求項４に記載の精算機。
【請求項６】
正面パネルを他の五面体に対して開き戸構造にて固定することとし、
その正面パネルにおける裏面の上部には、傘の柄を固定する傘フォルダを備えた
請求項４または請求項５のいずれかに記載の精算機。
【発明の詳細な説明】
【技術分野】
【０００１】
本発明は、屋外に設置される精算機や自動販売機に一体化させて用いる屋根構造、およびその屋根構造を備えた精算機に関する。
【背景技術】
【０００２】
サービス対価の支払い精算を無人で完結するための精算機や無人で物販をする自動販売機（以下、単に「精算機」と総称することとする）は、屋外へ設置されるものが少なくない。屋外へ設置した場合、精算機を使おうというユーザに対しては、雨天時の配慮が必要となる。すなわち、雨が降っている時に精算の手続をしようという場合には、片手に財布を持ち、もう一方の手で現金やカードなどを挿入するので、ユーザは傘を手放さなければならない。あるいは首と肩との間に傘の柄を挟むなどしながら精算手続をしなければならなかった。
【０００３】
こうした問題を解決するため、特許文献１に開示された「自動販売機」では、図１に示すような技術を提供している。すなわち、『自動販売機１０の上部にあるトッパー３０の上部に突出自在に屋根３４を設け、雨センサー４０が雨を検知し、かつ、人検知センサー２８が利用客を検知した場合には、屋根３４を突出させ利用客を雨から守る。』というものである。
【０００４】
精算機（自動販売機を含む）は、販売する商品やチケット用の用紙などの消耗品を補充したり、ユーザが投入した現金を回収したり、釣り銭を補充したり、と、メンテナンス作業者も使う。そうした作業者を雨から守るための技術として、特許文献２に開示されたような技術もある。すなわち、図２に示すように、商品投入口４よりも上部で、かつ本体キャビネット１の前方に位置し、外扉６を支持するヒンジピン１ａに中心部を回動可能に支持された略１／４円の扇形状板１１、１２を、隙間を有して重ねた雨避装置１１を形成する。
【０００５】
一方、精算機（自動販売機を含む）には、様々な種類が存在し、設置場所も様々である。駐車場の場合、ゲートの設置場所との関係も考慮しなければならない。そうした条件の下では、精算機と、それらを使うユーザやメンテナンス作業者を雨から守る屋根材とを、それぞれ独立させて提供することも、現実的には多い。
たとえば、図３に示すように、駐車場の精算機は、ゲートの近傍に設置することが多く、そのゲートは、一般道の近傍に位置する。そして、駐車場の精算機と、屋根材とは、それぞれ駐車場の路面に対して独立して埋設させている。
【先行技術文献】
【特許文献】
【０００６】
【特許文献１】特開平０９−１６８４１号公報
【特許文献２】特開平０８−２１２４４４号公報
【発明の概要】
【発明が解決しようとする課題】
【０００７】
図３に示したように、精算機や自動販売機と屋根材とを独立して提供する場合、防犯上の問題が増えるという問題がある。すなわち、防犯カメラからの死角が増えてしまう。精算機や自動販売機には現金が入っているため、破壊してその現金を奪おうという犯罪は絶えることがない。そうした犯罪抑止のために防犯カメラが色々な場所へ設置されている。しかし、図３に示したような屋根構造では、照明器具の明るさが不十分であったり、屋根材と精算機との隙間が存在したりすることから、防犯カメラでの撮影画像が役立たない可能性がある。
【０００８】
一方、特許文献1（図１）に開示された技術では、防犯上の死角が少ない。したがって、上記の問題点は生じにくい。しかし、屋根３４の上へ飲み終えた容器やゴミを置かれるという問題がある。
また、ユーザがぶら下がるといったいたずらをすることもあり、破損してしまうと、大がかりな修理が必要となってしまう。
【０００９】
特許文献２（図２）に開示された技術では、メンテナンス作業者を雨から守ることができても、ユーザを守ることはできない。また、雨が風を伴っている場合などは、屋根の大きさが充分ではない場合もある。
【００１０】
本発明が解決しようとする課題は、防犯性能が高く、いたずらされたりゴミを置かれたりしにくく、メンテナンス作業もしやすい屋外設置用の精算機に関する技術を提供することにある。
【課題を解決するための手段】
【００１１】
本願における第一の発明は、精算機とは独立して製造され、精算機に対して固定する精算機用屋根構造に係る。第二の発明は、第一の発明を備えた精算機に係る。
以下、図４以降とその部品番号などを参照させながら説明する。なお、以下の部品番号は、図１、図２に使われていた部品番号とは無関係である。
【００１２】
（第一の発明）
第一の発明は、精算機(30)に対して固定されて、その精算機(30)による精算操作をするユーザを雨から守る屋根構造に係る。
すなわち、前記の精算機(30)における背面側へ固定されるとともに精算機(30)の上方にまで達する基板部(21A)、およびその基板部(21A)の上端から延設されて精算機の上面および前記のユーザの上方に位置する屋根板部(21B)、を備える屋根材(21)と、
その屋根材(21)の屋根板部(21B)における幅方向の両側中央付近および基板部(21A)における精算機(30)の上端付近を渡して屋根板部(21B)を支持する屋根支持材(22)と、
を備える。
前記の基板部(21A)の幅方向は、精算機(30)の幅方向と一致した寸法とし、
前記の屋根材(21)は、前記の基板部(21A)側から正面側に向かって前上がりとし、
前記の屋根板部(21B)における下面の中央付近には、ユーザへ向いた防犯カメラ(24)を備えるとともに、その防犯カメラ(24)の両側には、ユーザを照らすライト(25,25)を備えた
屋根構造である（図５参照）。
【００１３】
（用語説明）
「精算機」は、サービス対価の支払い精算を無人で完結するための精算機、無人で物販をする自動販売機の両方を含む。
【００１４】
（作用）
屋根材(21)の基板部(21A)は、精算機(30)における背面側へ固定される。すると、基板部(21A)の上端は精算機(30)の上方にまで達する。屋根材(21)は、基板部(21A)の上端から正面側へ向かって前上がりとなる。屋根板部(21B)における幅方向の両側中央付近には、屋根板部(21B)の上端が位置し、屋根板部(21B)の下端が基板部(21A)における精算機(30)の上端付近をとなるように渡され、屋根板部(21B)が支持される。
基板部(21A)の幅方向は、精算機(30)の幅方向と一致した寸法なので、どこから見てもすっきりしている。屋根板部(21B)は、正面から後方へ向かって下方傾斜しているので、ゴミなどを置いても落ちてしまうため、ゴミが放置されることはない。
防犯カメラ(24)は、屋根板部(21B)における下面の中央付近においてユーザへ向いており、ライト(25,25)がユーザを照らすようにしているので、死角がほとんどない。
ユーザが屋根板部(21B)へぶら下がるといったいたずらをして破損してしまったとしても、屋根材(21)と精算機(30)とは別体に構成しているので、精算機(30)を含めた修理をする必要はない。
【００１５】
（第一の発明のバリエーション１）
本願における第一の発明は、以下のように形成してもよい。
すなわち、前記の基板部(21A)における屋根板部(21B)と精算機(30)の上面(31C)との間には、複数の貫通孔(例えばスリット21C）を備えてもよい（図５参照）。
【００１６】
（作用）
複数の貫通孔(21C)が存在することで、基板部(21A)へ吹き付ける強風による圧力を逃がすことができ、変形や破損がしにくくなる。
【００１７】
（第一の発明のバリエーション２）
本願における第一の発明は、以下のように形成してもよい。
すなわち、前記の屋根板部(21B)は、基板部(21A)側から精算機(30)における前面側へ向かって幅広となる形状とすると、好ましい（図６（ａ）参照）。
【００１８】
（作用）
屋根板部(21B)が基板部(21A)側から前方に向かって幅広となっているので、スッキリとしたデザインを維持しつつ、ユーザを雨から保護する範囲を拡げることができる。
【００１９】
（第二の発明）
第二の発明は、第一の発明に係る屋根構造を備えた精算機に係る（図４参照）。
【００２０】
（第二の発明のバリエーション１）
第二の発明における精算機(30)は、その上面が上へ向かって凸となる湾曲面(31C)として形成すると、より好ましい（図４参照）。
【００２１】
精算機(30)の上面を上へ凸となる湾曲面(31C)として形成しているので、吹き付けた雨粒が留まりにくく、腐食などの原因となりにくい。
また、空き缶やゴミなどを放置しようとしても落ちてしまうので、空き缶やゴミが放置されにくくなる。
【００２２】
（第二の発明のバリエーション２）
第二の発明における精算機(30)は、以下のように形成してもよい。
すなわち、正面パネル(31)を他の五面体に対して開き戸構造にて固定することとし、
その正面パネル(31)における裏面の上部には、傘(50)の柄を固定する傘フォルダ(40)を備えるのである（図９参照）。
【００２３】
（作用）
精算機(30)に対するメンテナンス、たとえば釣り銭の補充や現金の回収などは、メンテナンス作業者が正面パネル(31)を開いて作業をする。この際に、風を伴う雨の場合、精算機(30)の内部へ雨水が浸入するおそれがある。それを防ぐため、メンテナンス作業者は、持参した傘(50)の柄を傘フォルダ(40)へ固定する。
メンテナンス作業者は傘(50)を持つ必要がないので、作業が自由に行え、精算機(30)の内部への雨水進入も抑制できる。
【発明の効果】
【００２４】
第一の発明および第二の発明によれば、防犯性能が高く、いたずらされたりゴミを置かれたりしにくく、メンテナンス作業もしやすい屋外設置用の精算機を提供することができた。
【図面の簡単な説明】
【００２５】
【図１】特許文献１に開示された技術を説明するための図である。
【図２】特許文献２に開示された技術を説明するための図である。
【図３】精算機と屋根材との一般的な関係を示す斜視図である。
【図４】第一の実施形態を示す斜視図である。
【図５】第一の実施形態における主要部を示す斜視図である。
【図６】第一の実施形態を示す三面図である。（ａ）が平面図、（ｂ）が正面図、（ｃ）が側面図である。
【図７】第一の実施形態における屋根材の機能を示すための側面図である。（ａ）が雨に対する性能を示す図であり、（ｂ）はカメラの撮影角度を示す図である。
【図８】（ａ）は、第一の実施形態とユーザとの関係を示す側面図である。（ｂ）は、第一の実施形態にて採用するカメラとライトとの関係を示す正面図である。
【図９】第一の実施形態に係る精算機のメンテナンスをする際の内部構造を示す斜視図、部分拡大図、および使用状態を示す部分拡大図である。
【図１０】本願に係る精算機（複数）と管理サーバとの関係を示す概念図である。
【発明を実施するための形態】
【００２６】
以下、本発明を実施形態および図面に基づいてさらに詳しく説明する。本実施形態は、図４から図９にて示す。図３などの従来技術を示す図面も、適宜参照する。
以下の実施形態では、屋外の駐車場に設置される精算機を説明するが、本願発明では「精算機」は、サービス対価の支払い精算を無人で完結するための精算機、無人で物販をする自動販売機の両方を含む。
【００２７】
精算機や自動販売機を入れ替えるなど事態が発生すると、精算機や自動販売機のタイプに制限が設けられることも、問題の一つである。たとえば、図３に示した精算機は、精算機の裏側と屋根材とのクリアランスが狭く、メンテナンス作業者がそのクリアランスへ入って作業することは想定していない。
しかし、精算機のタイプによっては、精算機の裏側からメンテナンス作業をするものがあるものの、この図３に示した場所では、その精算機を選択することができない。または、屋根材の固定場所を変更するなどの措置が必要となる。
【００２８】
（図４）
図４に示すように、本実施形態に係る精算機３０は、厚板状の土台１０の上面へ固定される。概ね四角柱のような精算機３０は、背面部分を使って固定される屋根材２０と別体で形成されている。
精算機３０の正面には、ユーザが操作する各種の操作機器（後述）を備えており、その正面は、他の五面体に対して開き戸構造にて固定される正面パネル３１にて形成される。後述するが、正面パネル３１は、側面板３２に備えられたキー３２Ａを解錠することで開き戸状に開けることができる（図９参照）
【００２９】
前述した操作機器は、上から出力パネル３３、その出力パネル３３の左下に位置するカードリーダ３４、そのカードリーダ３４の右側に隣接するコイン投入口３５、そのコイン投入口３５の右側に隣接する紙幣投入口３６、コイン投入口の下側付近に位置するスキャナ装置３７、そのスキャナ装置３７の下側に位置する釣り銭口３８、スキャナ装置３７の両側に位置するスピーカ３９がある。
【００３０】
なお、出力パネル３３は、タッチパネルとしても機能する入出力装置であることが望ましい。精算機３０のユーザに対して出力表示をするのみではなく、ユーザからの入力たとえば選択ボタンのタッチなどを受けることができるからである。
【００３１】
精算機３０は、その上面が上へ向かって凸となる湾曲面３１Ｃとして形成している。そのため、屋根材２０では防げずに雨粒が吹き付けたとしても留まりにくく、腐食などの原因となりにくい。
また、空き缶やゴミなどを放置しようとしても落ちてしまうので、空き缶やゴミが放置されにくくなる。
【００３２】
（図５）
図５を用いて、精算機３０へ後付け固定され、精算操作をするユーザを雨から守る屋根構造を詳細に説明する。
この屋根構造は、精算機３０における背面側へ固定されるとともに精算機３０の上方にまで達する基板部２１Ａ、およびその基板部２１Ａの上端から延設されて精算機の上面および前記のユーザの上方に位置する屋根板部２１Ｂ、を備える屋根材２１と、その屋根材２１の屋根板部２１Ｂにおける幅方向の両側中央付近および基板部２１Ａにおける精算機３０の上端付近を渡して屋根板部２１Ｂを支持する屋根支持材２２と、を備える。
【００３３】
屋根支持材２２は、屋根材２１の基板部２１Ａに面する基板部２２Ａと、その基板部２２Ａの両側上端部から折り曲げられて屋根材２１の屋根板部２１Ｂへ達する前記の屋根板部２１Ｂと、屋根板部２１Ｂに面して固定される固定部２２Ｃと、を備える。
【００３４】
屋根材２１における屋根支持材２２とは反対側の左右両側には、縦長の長方形状の板材である補強板２３を備えている。
この補強板２３、前述の基板部２１Ａおよび基板部２２Ａを貫通する固定ビス２３Ａによって、屋根材２１は屋根支持材２２とともに、精算機３０の背面側上部へ固定されることとなる。
【００３５】
屋根材２１の基板部２１Ａの幅方向は、精算機３０の幅方向と一致した寸法としているとともに、前記の基板部２１Ａ側から正面側に向かって前上がりとしているので、スッキリして見える。
また、前記の屋根板部２１Ｂは、基板部２１A側から精算機３０における前面側へ向かって幅広となる形状としている（図６（ａ）参照）。そのため、スッキリとしたデザインを維持しつつ、ユーザを雨から保護する範囲を拡げることができる。
【００３６】
基板部２１Ａにおける屋根板部２１Ｂと精算機３０の湾曲面３１Ｃとの間には、複数の貫通孔であるスリット２１Ｃを備えている（図５（ａ）、（ｂ）、図６（ｂ）参照）。そのため、基板部２１Ａへ吹き付ける強風による圧力を逃がすことができ、変形や破損をしにくくなる。
【００３７】
前記の屋根板部２１Ｂにおける下面の中央付近には、ユーザへ向いた防犯カメラ２４を備えるとともに、その防犯カメラ２４の両側には、ユーザを照らすライト２５，２５を備えている。防犯カメラ２４およびライト２５，２５の位置関係を、図８に基づいて詳細に説明する。
【００３８】
（図８）
図８（ａ）に示すように、防犯カメラ２４が撮影できる角度は、精算機３０の前面を基準に約８０度の撮影が可能である。したがって、精算機３０に対して破壊行為をなす犯罪者を撮影することが可能である。
【００３９】
図８（ｂ）に示すように、ライト２５，２５の照射角度は、防犯カメラ２４のレンズには届かない角度としている。したがって、ライト２５，２５は、防犯カメラ２４によって撮影する被写体を照らすものの、防犯カメラ２４による撮影の妨げとなる光を放つものではない。
【００４０】
（図７）
図７（ａ）は、屋根材２１と精算機３０との位置関係を側面から示している。
屋根罪２１の上端およびその上端から垂直に降ろした線と、屋根罪２１の上端および紙幣投入口３６を結んだ線とがなす角度は、２５度としている。風雨が正面パネル側に向かって吹き付けていても、紙幣投入口３６が濡れてしまうことを抑制できる。
【００４１】
屋根罪２１の上端およびその上端から垂直に降ろした線と、屋根罪２１の上端および釣り銭口３８を結んだ線とがなす角度は、１５度としている。釣り銭口３８に出てくるのはコインであるので、紙幣投入口３６よりも濡れてしまう確率は高まるが、ＩＰＸ２の滴水試験の角度はクリアできている。
【００４２】
図７（ｂ）は、防犯カメラ２４の取り付け角度（２０度）と、防犯カメラ２４が撮影できる角度（８５度）とを示している。
【００４３】
（図９）
図９は、精算機３０のメンテナンスの際に正面パネル３１を開放した状態を示している。
正面パネル３１は、他の五面体に対して開き戸構造にて固定されている。そして、正面パネル３１における裏面の上部には、傘の柄を固定する傘フォルダ４０が備えられている。
【００４４】
精算機３０に対するメンテナンス、たとえば釣り銭の補充や現金の回収などは、メンテナンス作業者が正面パネル３１を開いて作業をする。風雨の場合、精算機３０の内部へ雨水が浸入するおそれがある。メンテナンス作業者は、持参した傘５０の柄を傘フォルダ４０へ固定する。
この実施形態に示す傘フォルダ４０は、傘５０の柄を挟んで固定するほか、固定した傘を差す角度を調整することができる。
【００４５】
メンテナンス作業者は傘５０を持つ必要がないので、作業が自由に行える。また、犯罪者を含め、傘５０によって遮られる視界は上方のみであるので、周囲に人がいるかいないかといった状況を認知しやすい。精算機３０の内部への雨水進入も抑制できる。
【００４６】
（図１０）
図１０では、複数の精算機（α、β、・・）の各防犯カメラ２４が撮影した画像データは、間歇的に精算機管理サーバへ送信することを示している。したがって、防犯カメラ２４が破壊されたとしても、撮影データの多くは精算機管理サーバで保管される。
なお、精算機管理サーバは、各精算機（α、β、・・）に対して、出力パネル３３へ表示させるデータの更新版を送信したり、カードリーダ３４やスキャナ装置３７が読み取ったデータを受信したりもする。
【産業上の利用可能性】
【００４７】
本発明は、精算機（特に駐車料金精算装置であるが、自動販売機をも含む）を製造する製造業、精算機に用いるソフトウェアの開発業、精算機の修理やメンテナンスを行うサービス業、料金の精算機をレンタルするレンタル業、料金の精算機を代行する代行サービス業などにおいて、利用可能性を有する。
【符号の説明】
【００４８】
１０  ；土台
２０  ；屋根材
２１  ；屋根板                  ２１Ａ；基板部
２１Ｂ；屋根板部                ２１Ｃ；スリット
２２  ；屋根支持材              ２２Ａ；基板部
２２Ｂ；支持部                  ２２Ｃ；固定部
２３  ；補強板                  ２３Ａ；固定ビス
２４  ；防犯カメラ              ２５  ；ライト
３０  ；精算機                  ３１  ；正面パネル
３１Ｃ；湾曲面
３２  ；側面板                  ３２Ａ；キー
３３  ；出力パネル
３４  ；カードリーダ            ３５  ；コイン投入口
３６  ；紙幣投入口              ３７  ；スキャナ装置
３８  ；釣り銭口                ３９  ；スピーカ
４０  ；傘フォルダ
５０  ；傘
【図１】
2019179482.tif 000003
【図２】
2019179482.tif 000004
【図３】
2019179482.tif 000005
【図４】
2019179482.tif 000006
【図５】
2019179482.tif 000007
【図６】
2019179482.tif 000008
【図７】
2019179482.tif 000009
【図８】
2019179482.tif 000010
【図９】
2019179482.tif 000011
【図１０】
2019179482.tif 000012